(57)【特許請求の範囲】
【請求項１】
ポーリング送信機能を有するファクシミリ装置において、
画情報記憶手段と、
相手先番号記憶手段と、
発呼側電話番号記憶手段と、
ポーリング送信ファイル作成の指示を検出すると、相手先の電話番号を前記相手先番号記憶手段に格納し送信する画情報を前記画情報記憶手段に格納する手段と、
ＩＤ受信端末の起動信号を検出すると、回線を閉結して交換機側から通知される発呼側の電話番号を受信して前記発呼側電話番号記憶手段に格納する手段と、
前記回線の解放の後の呼出信号によって回線が閉結されたとき、前記発呼側電話番号記憶手段の発呼側の電話番号が前記相手先番号記憶手段の相手先の電話番号と一致するか比較する電話番号比較手段と、
一致しているとき、デジタル識別信号ＤＩＳの送信能力ビットを「１」にセットし、不一致のときは「０」に定めて該デジタル識別信号ＤＩＳを送信し、前記送信能力ビット「１」に応答する呼出元の応答に対応して前記画情報記憶手段の画情報をポーリング送信する制御手段と、
を備えたことを特徴とするファクシミリ装置。
【請求項２】
ファクシミリ装置はＶ．３４およびＶ．８通信が可能な機能を備え、
前記制御手段は、前記回線の解放の後の呼出信号によって回線が閉結されかつ起呼メニュー信号ＣＭを受信したときは、前記電話番号比較手段の比較結果が不一致であると、Ｖ．８通信で行われる共通メニュー信号ＪＭの起呼カテゴリを「発呼側送信」とする、請求項１に記載のファクシミリ装置。
【請求項３】
更に、Ｖ．８通信で受信した起呼メニュー信号ＣＭの信号方向と、着呼側で送信した共通メニュー信号ＪＭの起呼カテゴリが異なることを検出する検出手段と、起呼カテゴリが異なることを検出したときは、Ｖ．８通信の終了後、回線を解放する回線制御手段と、を備えた請求項２に記載のファクシミリ装置。
【請求項４】
ファクシミリ装置は、ポーリング送信ファイル作成のときの相手先電話番号の入力は、正規の番号の一部とすることが可能な相手先電話番号入力手段を備え、
前記電話番号比較手段は、前記発呼側電話番号記憶手段の発呼側の電話番号が前記相手先番号記憶手段の相手先の電話番号と一致するか比較するとき、両番号の桁が合わないとき、相手先の電話番号を上位桁方向に桁シフトして発呼側の電話番号の数字のならびの中に該相手先の電話番号の数字のならびに一致するならびがあるかを比較し、あると両番号は一致するとする、請求項１乃至３の何れか１つに記載のファクシミリ装置。
【発明の詳細な説明】
【０００１】
【発明の属する技術分野】
この発明は、ポーリング送信を行うファクシミリ装置に係り、特に、発信番号サービスを受けている回線で、ＩＴＵ−ＴのＶ．８規格およびＶ．３４規格通信を行うファクシミリ装置、あるいはこのファクシミリ機能を内蔵した通信装置に関する。
【０００２】
【従来の技術】
ファクシミリ装置に関しては、ＣＣＩＴＴ勧告によって各種の基準が定められており、そのＶシリーズモデム勧告には、Ｖ．８規格（Ｖ．８モード），Ｖ．２１規格（Ｖ．２１Ｈモード），Ｖ．３４規格（Ｖ．３４モード）等のモデムについて、交信時の通信制御手順が定められている〔例えば、ＩＴＵ−Ｔ、Ｖシリーズ（モデム関連等）勧告集、１９９４年、財団法人新日本ＩＴＵ協会発行〕。このＣＣＩＴＴ勧告（特に勧告Ｔ．３０）で規定されている通信制御手順に従ったモデムが装備されているファクシミリ装置を使用すれば、規格が異なるモデム間でも、交信が可能である。
【０００３】
また、ポーリング通信を行う場合には、まず、着呼側において、ポーリング送信原稿（またはポーリング送信原稿を記憶したメモリファイル）の用意ができている旨をプロトコル信号で発呼側に通知し、次に、この通知を受信した発呼側からポーリング受信を要求することによって、送信原稿の送信を開始する。ポーリング通信の開始後は、標準プロトコルでは、プロトコル信号ＳＥＰの通信によって、発呼側の確認をすることができる。しかし、複数のポーリング送信原稿をメモリファイルに記憶させた場合で、それぞれの送信原稿の宛先が異なっているときは、プロトコル信号ＳＥＰに含まれているＩＤを変更しておいても、限界があり、偶然ＩＤが一致してしまった宛先に誤送信してしまう、という可能性がある。そのため、機密性を完全に保持することができず、ポーリング通信の信頼性が低下する、という問題があった。
【０００４】
このような問題を解決するために、近年、発呼側の電話番号を着呼側に通知する機能を有する交換機が開発され、加入者サービスの開始が予定されている。このような機能を利用する技術として、発ＩＤ（電話番号データ）を使用し、ビジーのとき、着信端末に着信の有無と発ＩＤとを表示する着信呼制御方式が知られている（例えば特開平６−１５２７５３号公報）。この着信呼制御方式は、交換機と端末の両方が連係して実施される機能であるが、ポーリング通信の信頼性を向上させる配慮は行われていない。同様に、発ＩＤに応じて第２の呼出信号を出力する発信者番号通知装置も知られている（例えば特開平４−３４９７５２号公報）。この発信者番号通知装置も、発ＩＤを使用したアプリケーションの一つであるが、ポーリング通信の信頼性を向上させる点については考慮していない。ここで、ポーリング通信について説明する。
【０００５】
図９は、通常のポーリング通信について、そのシーケンスの概要を示す図である。図において、上欄が発呼側（受信側）、下欄が着呼側（送信側）で、ＣＥＤ、ＣＳＩ、ＤＩＳ、ＣＩＧ、ＤＴＣ、ＴＳＩ、ＤＣＳ、ＴＣＦ、ＣＦＲ、ＰＩＸ、ＰＰＳ−ＥＯＰ、ＭＣＦ、ＤＣＮは信号を示す。
【０００６】
この図９のシーケンスでは、ポーリング用のＩＤが通信されないので、単純ではあるが、着呼側でセットしたポーリング原稿を、誰でも受信することが可能である。したがって、セキュリティがなく、機密性は保持できない。このような問題に対処するために、ＩＤ付きポーリング通信について規定されている。
【０００７】
図１０は、ＩＤ付きポーリング通信について、そのシーケンスの概要を示す図である。図における符号は図９と同様であり、ＳＥＰはプロトコル信号のフレームを示す。
【０００８】
この図１０に示すシーケンスには、プロトコル信号ＳＥＰのフレームが付加されている。そして、このプロトコル信号ＳＥＰのフレーム内にあるＩＤを使用し、特定の相手先にのみポーリング送信を行うことを可能にする（許可する）。もし、この場合に、ＩＤが不一致であれば、直ちに回線を切断する。
【０００９】
図１１は、図１０に示したＩＤ付きポーリング通信において、ＩＤが異なっている場合のシーケンスの概要を示す図である。図における符号は図１０と同様である。
【００１０】
プロトコル信号ＳＥＰのフレーム内のＩＤを比較した結果、不一致のときは、この図１１に示すように、着呼側から回線を切断して通信を終了する。したがって、先の図９に示した通常のポーリング通信に比べれば、セキュリティが高くなる。しかし、この方式を採用しても、ＩＤは任意に設定可能であるため、偶然一致してしまう、というケースも想定される。また、無意味なポーリング通信を回避して通信費を節減するために、デジタル識別信号ＤＩＳのフレームを利用する方式も知られている。
【００１１】
図１２は、デジタル識別信号ＤＩＳのビット割り付けを示す図である。この図１２には、デジタル識別信号ＤＩＳの先頭部分を示しており、９ビット目（ｂｉｔ Ｎｏの９）に送信可能を示す情報が割り当てられ、次の１０ビット目に受信可能を示す情報が割り当てられている。そして、着信側に送信可能な原稿があるときは、該当するビットが「１」にセットされる。すなわち、着呼側において、ポーリング送信用原稿がセットされているとき、あるいはポーリング送信用のメモリファイルがあるときは、この図１２に示す９ビット目の送信可能ビットがセットされている。
【００１２】
図１３は、デジタル識別信号ＤＩＳのフレーム内の送信可能ビットがセットされていないとき、発呼側から回線を切断する場合のシーケンスの概要を示す図である。図における符号は図９と同様である。
【００１３】
この図１３に示すように、ポーリング通信において、発呼側が、デジタル識別信号ＤＩＳのフレーム内の送信可能ビットをチェックし、そのビットがセットされていないことを検知すると、直ちに切断命令信号ＤＣＮを発生させて、回線を切断する。
【００１４】
図１４は、交換機側からの発信電話番号通知について、そのシーケンスの概要を示す図である。図における符号は図１３と同様である。
【００１５】
この図１４に示すシーケンスでは、交換機側から送られてくる発呼側の電話番号の通信シーケンス部分が追加されている。発呼側が電話をかけると、着呼側では、まず、極性反転が発生する。その後、ＩＤ受信端末起動信号が着信し、着呼側の端末が回線を接続して応答すると、発ＩＤ（電話番号データ）がＶ．２３規格で送信されてくる。着呼端末で、受信が完了すると、回線を解放する。それから、本来の呼出信号（リンギング信号）が送られてきて、着呼側端末が回線を閉結することによって応答すると、通信が開始される。
【００１６】
【発明が解決しようとする課題】
従来の技術について説明したように、ポーリング通信に関しては、送信原稿の誤送信を防止し、信頼性を向上させるために、多くの対策が提案されている。さらに、着信側に対しては、発呼者の電話番号を知らせる装置や方式も、開発されている。しかし、ポーリング通信における機密性を保持する（セキュリティを高める）確実な方法や装置は、まだ提案されていない。この発明では、ポーリング通信における機密性を保持し、通信の信頼性を向上させることを課題とする。
【００１７】
【課題を解決するための手段】
（１）ポーリング送信機能を有するファクシミリ装置において、
画情報記憶手段と、
相手先番号記憶手段と、
発呼側電話番号記憶手段と、
ポーリング送信ファイル作成の指示を検出すると、相手先の電話番号を前記相手先番号記憶手段に格納し送信する画情報を前記画情報記憶手段に格納する手段と、
ＩＤ受信端末の起動信号を検出すると、回線を閉結して交換機側から通知される発呼側の電話番号を受信して前記発呼側電話番号記憶手段に格納する手段と、
前記回線の解放の後の呼出信号によって回線が閉結されたとき、前記発呼側電話番号記憶手段の発呼側の電話番号が前記相手先番号記憶手段の相手先の電話番号と一致するか比較する電話番号比較手段と、
一致しているとき、デジタル識別信号ＤＩＳの送信能力ビットを「１」にセットし、不一致のときは「０」に定めて該デジタル識別信号ＤＩＳを送信し、前記送信能力ビット「１」に応答する呼出元の応答に対応して前記画情報記憶手段の画情報をポーリング送信する制御手段と、
を備えたことを特徴とするファクシミリ装置。
【００１８】
（２）ファクシミリ装置はＶ．３４およびＶ．８通信が可能な機能を備え、
前記制御手段は、前記回線の解放の後の呼出信号によって回線が閉結されかつ起呼メニュー信号ＣＭを受信したときは、前記電話番号比較手段の比較結果が不一致であると、Ｖ．８通信で行われる共通メニュー信号ＪＭの起呼カテゴリを「発呼側送信」とする、上記（１）に記載のファクシミリ装置。
【００１９】
（３）更に、Ｖ．８通信で受信した起呼メニュー信号ＣＭの信号方向と、着呼側で送信した共通メニュー信号ＪＭの起呼カテゴリが異なることを検出する検出手段と、起呼カテゴリが異なることを検出したときは、Ｖ．８通信の終了後、回線を解放する回線制御手段と、を備えた上記（２）に記載のファクシミリ装置。
【００２０】
（４）ファクシミリ装置は、ポーリング送信ファイル作成のときの相手先電話番号の入力は、正規の番号の一部とすることが可能な相手先電話番号入力手段を備え、
前記電話番号比較手段は、前記発呼側電話番号記憶手段の発呼側の電話番号が前記相手先番号記憶手段の相手先の電話番号と一致するか比較するとき、両番号の桁が合わないとき、相手先の電話番号を上位桁方向に桁シフトして発呼側の電話番号の数字のならびの中に該相手先の電話番号の数字のならびに一致するならびがあるかを比較し、あると両番号は一致するとする、上記（１）乃至（３）の何れか１つに記載のファクシミリ装置。
【００２１】
【発明の実施の形態】
この発明のファクシミリ装置について、図面を参照しながら、その実施の形態を詳細に説明する。以下に順次、第１から第４の実施の形態として説明するが、第１の実施の形態で説明する請求項１の発明が基本発明である。最初に、全ての実施の形態に共通するハード構成、すなわち、この発明のファクシミリ装置の構成について説明する。
【００２２】
図１は、この発明のファクシミリ装置について、その要部構成の実施の形態の一例を示す機能ブロック図である。図において、１はスキャナ、２はプロッタ、３は符号化復号化部、４は発呼側電話番号記憶部、５は通信制御部、６はモデム、７は網制御部、８は操作表示部、９はシステム制御部、１０は画情報記憶部、１１は相手先番号記憶部、１２はシステムバスを示す。
【００２３】
この図１に示すファクシミリ装置は、ＩＴＵ−ＴのＶ．３４規格およびＶ．８規格の通信を行う機能を備えているが、基本的な構成と動作は従来の装置と同様である。しかし、システム制御部９が、後出の図２や図３、図６等のフローに従ってこの発明に固有の制御を行う点、および、特に発呼側電話番号記憶部４と相手先番号記憶部１１を設けた点が、従来の装置と異なっている。
【００２４】
まず、従来と共通の構成と動作を中心に、簡単に説明する。スキャナ１は、ＣＣＤや密着センサ等で構成され、所定の解像度で送信あるいはコピーする画像を読み取って画データ（画情報）に変換する画像読み取り手段である。プロッタ２は、所定の解像度で読み取られた画情報や受信した画情報を記録紙に印字し、また種々の管理レポート等を出力して記録紙に印字する機能を有するプリンタ等の出力手段である。符号化復号化部（ＤＣＲ）３は、ＭＨ／ＭＲ／ＭＭＲ符号化方式によって送信する画情報を圧縮し、また、受信した画信号をＭＨ／ＭＲ／ＭＭＲ符号化方式によって復号化して元の画情報に再生する機能を有している。発呼側電話番号記憶部４は、必ずしもこの発明に固有の構成ではないが、機能的に重要な役割りを有しており、交換機側から送られてくる発呼側の電話番号を受信して記憶・保持する記憶手段である。通信制御部５は、所定のファクシミリ通信プロトコルを制御する機能を有し、また、この発明のファクシミリ装置に固有の制御を行う。
【００２５】
モデム６は、画信号や各種手順信号などの通信信号を変復調して伝送する機能を有している。例えばＧ３ファクシミリのモデム機能を実現する機能を有しており、ＩＴＵ−ＴのＶ．１７，Ｖ．２９，Ｖ．２７ｆｅｒ，Ｖ．２１，Ｖ．２３，ＦＳＫモード、およびＶ．８，Ｖ．３３などの各モードの変調／復調を行い、通信が可能である。網制御部７には、電話回線が接続され、着信検出や発呼等の際に所定の回線制御を行う機能を有している。操作表示部８は、オペレータとのインタフェースであり、パネル上に設けられた表示用ＬＣＤやＬＥＤ、操作キー等から構成されて、オペレータがポーリング送信その他各種の操作を行ったり、あるいは装置の動作状態を表示する等の機能を有している。
【００２６】
システム制御部９は、この図１に示した装置のシステム全体の制御を司る機能を有しており、従来の装置と同様の制御を行う他に、後述するこの発明に固有の制御を行う機能を有している。なお、システム制御部９がプログラムを実行するときにワークエリアとして使用するＲＡＭや、プログラムやシステム的に必要なパラメータ等を格納するＲＯＭ等も内蔵されている。画情報記憶部１０は、ポーリング送信メモリファイルの作成時に、ポーリング送信原稿の画情報を記憶する記憶手段である。また、メモリ送信時やメモリ受信時（代行受信や親展受信など）に画情報を蓄積しておくと共に、Ｇ３（グループ３）通信時のＦＩＦＯや、ＥＣＭ（自動誤り再送機能）通信時のＥＣＭバッファ、ライン単位に生画像データ（符号化前の画情報）を扱うラインバッファなどとしても使用される記憶手段である。相手先番号記憶部１１は、画情報記憶部１０に記憶された画情報と一緒に、その送信の相手先を特定するための電話番号を記憶する記憶手段である。以上が、この発明の各実施の形態に共通するファクシミリ装置の構成と動作の概略である。
【００２７】
第１の実施の形態
この第１の実施の形態は、請求項１の発明に対応しているが、請求項２から請求項４の発明にも関連しており、この請求項１の発明が基本発明である。この第１の実施の形態では、ポーリング通信における機密性を保持する（セキュリティを高める）ために、プロトコル信号ＳＥＰのフレーム内のＩＤだけでなく、発呼側の電話番号も併せて確認した上でポーリング送信原稿の送信を開始する点に特徴を有している。
【００２８】
先の図１４に示したように、交換機側から発呼側の電話番号が送信され、この電話番号（発ＩＤ）を利用して、着信側で応答あるいは不応答を決定する通信方式が、すでに提案されている。この通信方式の場合には、交換機側から送られてくる発呼側の電話番号を受信した後、一旦回線が開放される。この第１の実施の形態では、この受信した発呼側の電話番号を保持しておき、次の呼出信号によって回線が閉結されたとき、先に保持しておいた発呼側の電話番号が、着呼側で作成したポーリング送信ファイルの相手先電話番号と一致するかどうか判断する。比較した結果、発呼側の電話番号と、ポーリング送信原稿に設定した相手先電話番号とが一致していれば、先の図１２に示したデジタル識別信号ＤＩＳの９ビット目（ｂｉｔ Ｎｏの９）に割り当てられた送信可能を示す情報を「１」にセットする。この送信可能を示す情報は、ポーリング通信の開始に関しては、極めて重要であり、この情報が「０」にセットされていると、発呼側がポーリング通信を希望していても、ポーリング通信を開始することはできない。なお、通常、このデジタル識別信号ＤＩＳの９ビット目の送信可能を示す情報は、着信側に、発呼側の電話番号と、その電話番号に該当するポーリング送信原稿がないとき、「０」にセットされる。しかし、この第１の実施の形態では、この送信可能を示す情報を、保持しておいた発呼側の電話番号と、着呼側で作成したポーリング送信ファイルの相手先電話番号とが一致したことを確認した後に、「１」にセットするので、誤送信が防止されると共に、信頼性が著しく向上する。
【００２９】
図２は、この発明のファクシミリ装置について、第１の実施の形態によるポーリング送信ファイル作成時の主要な処理の流れを示すフローチャートである。図において、＃１〜＃５はステップを示す。
【００３０】
着信側でポーリングファイルを作成するときは、この図２のフローに示すように、ステップ＃１で、ポーリング送信ファイル作成の指示の有無を監視する。ファイル作成の指示を検知すると、ステップ＃２で、相手先の電話番号を入力し、次のステップ＃３で、図１の相手先番号記憶部１１に格納する。ステップ＃４で、原稿読み込み開始の指示の有無を監視する。原稿がセットされると、原稿の読み込みを開始し、読み込まれた画情報を図１の画情報記憶部１０に格納して、この図２のフローを終了する。以上のステップ＃１〜＃５の処理によって、相手先の電話番号とポーリング送信原稿とが一緒に記憶される。
【００３１】
次に、ポーリング通信時の動作を説明する。極性反転やＩＤ受信端末の起動信号を検出すると、回線を閉結して発ＩＤ（電話番号データ）を受信し、図１の発呼側電話番号記憶部４に格納して記憶しておく。この第１の実施の形態では、この状態で、一旦回線を解放する。その後、本来の呼出信号（リンギング信号）が着信した時点で、回線を閉結して、二次応答を行う。この場合に、先に受信して図１の発呼側電話番号記憶部４に保持しておいた相手先の電話番号と、先のポーリング送信ファイル作成時に、図１の相手先番号記憶部１１に記憶させた相手先の電話番号とを比較する。比較した結果、両方の電話番号が一致したときは、先の図１２に示したデジタル識別信号ＤＩＳのフレーム内の送信能力ビット（例えば９ビット目）を「１」にセットする。しかし、両方の電話番号が不一致のときは、この送信能力ビットを「０」にセットする（実際には変更せず、そのままの状態に保持する）。その後、通信を開始するが、信号ＤＩＳの送信能力ビットを「１」にセットしなくても、通常の受信は可能である。以上の動作をフローに示す。
【００３２】
図３は、この発明のファクシミリ装置について、第１の実施の形態によるポーリング通信時の主要な処理の流れを示すフローチャートである。図において、＃１１〜＃２３はステップを示す。
【００３３】
ステップ＃１１で、極性反転の有無を監視する。極性反転を検出すると、次のステップ＃１２で、ＩＤ受信端末の起動信号の有無を監視する。ＩＤ受信端末の起動信号を検出すると、ステップ＃１３で、回線を閉結し、一次応答を行う。次のステップ＃１４で、発ＩＤ（電話番号データ）を受信する。ステップ＃１５で、受信した発ＩＤを図１の発呼側電話番号記憶部４に格納する。ステップ＃１６で、回線を開放する。次のステップ＃１７で、呼出信号の有無を監視する。呼出信号を検出すると、ステップ＃１８へ進み、回線を閉結し、二次応答を行う。
【００３４】
ステップ＃１９で、発呼側の電話番号と、相手先の電話番号とが一致しているかどうか判断する。両方の電話番号が一致したときは、ステップ＃２０へ進み、先の図１２に示したデジタル識別信号ＤＩＳのビット送信能力ビットを「１」にセットする。これに対して、両方の電話番号が不一致のときは、ステップ＃２１で、デジタル識別信号ＤＩＳの送信能力ビットを「０」にセットする。その後、ステップ＃２２へ進み、被呼端末識別信号ＣＥＤを送信し、次のステップ＃２３で、オプション信号ＣＳＩやデジタル識別信号ＤＩＳの送信に移り、以下、従来と同様の手順で通信を行う。
【００３５】
このように、この第１の実施の形態では、図１の発呼側電話番号記憶部４に記憶されている電話番号と、着呼側（送信側）がポーリング通信を行うために相手先番号記憶部１１に記憶させた電話番号とを比較し、両方の電話番号が一致したときのみ、デジタル識別信号ＤＩＳのフレーム内の送信能力ビットを「１」にセットすることによって、従来のＩＤの比較だけで実行されるポーリング通信に比べて、セキュリティを著しく向上させることができる。
【００３６】
第２の実施の形態
この第２の実施の形態は、請求項２の発明に対応しているが、請求項１の発明にも関連している。先の第１の実施の形態では、着呼側に通知される発ＩＤ（電話番号データ）を記憶しておき、着呼側のファクシミリ装置でポーリング送信原稿ファイルの作成時に設定した（本来の相手先の）ＩＤと一致することを確認した後に、信号ＤＩＳの送信能力ビットを「１」にセットして送信を開始することにより、ポーリング送信原稿の誤送信を防止し、信頼性を向上させる場合を説明した。ところで、先の第１の実施の形態で説明したファクシミリ装置の場合に、Ｖ．３４通信が可能な機種も存在している。このＶ．３４通信を行う場合には、まず、回線接続後に、Ｖ．８通信を行うことが規定されている。そして、このＶ．８通信においては、通信可能なモデム種別と通信方向との情報を相互に交換することによって、Ｖ．３４通信がスムーズに実行できるようにしている。ここで、Ｖ．３４規格による通信について、通常の通信フローを説明する。
【００３７】
図４は、Ｖ．３４規格によるポーリング通信について、そのシーケンスの概要を示す図である。図における符号は図９と同様である。
【００３８】
この図４に示すように、Ｖ．３４規格によるポーリング通信では、回線接続後に、Ｖ．８通信のシーケンスを実行し、その後に、Ｖ．３４通信のシーケンスが開始される。この図４に示すように、Ｖ．３４のフェーズ１はＶ．８通信であり、変形応答トーンＡＮＳamから始まって、信号ＣＪで終了する。そして、この間に、互いの端末が通信可能な変調モードおよび起呼機能（通信方向も含む）の情報が授受される。このＶ．８通信で交わされる起呼カテゴリは、起呼メニュー信号ＣＭあるいは共通メニュー信号ＪＭが、いずれも「発呼側受信」を指示する信号になる。この場合には、発呼側の電話番号と該当するポーリング送信原稿がないときでも、Ｖ．８通信の起呼カテゴリが「発呼側受信」となり、ファクシミリ送信が開始されてしまう。
【００３９】
そこで、この第２の実施の形態では、発呼側の電話番号と該当するポーリング送信原稿が存在しないときは、Ｖ．８通信の起呼カテゴリを「発呼側受信」としないように制御し、初期段階で回線を切断することによって、通信コストを抑制する点に特徴を有している。例えば、発呼側から送信される起呼メニュー信号ＣＭによって、「受信」したい旨が通知され、着呼側にポーリング送信原稿があれば、着呼側では、共通メニュー信号ＪＭの送出によって、「受信」に応答する。これに対して、着呼側にポーリング送信原稿がない場合には、「送信」を応答することになる。しかし、この場合には、通信方向が異なるので、通信不可能と判断される。
【００４０】
図５は、起呼メニュー信号ＣＭおよび共通メニュー信号ＪＭについて、起呼機能カテゴリと「発呼側送信」または「発呼側受信」の機能のビットの割り付けの一例を示す図である。
【００４１】
起呼機能のカテゴリとして、「発呼側送信」の場合には、この図５の上の行に示すように、起呼メニュー信号ＣＭおよび共通メニュー信号ＪＭを構成する８ビットについて、そのビット０〜７を、「１００００００１」とし、また、「発呼側受信」の場合には、この図５の下の行に示すように、「１００００１０１」を割り付けておく。このような割り付けを行うことによって、発呼側が「送信」するのか、発呼側が「受信」するのか、を明確にすることができる。
【００４２】
図６は、この発明のファクシミリ装置について、第２の実施の形態によるポーリング通信時の主要な処理の流れを示すフローチャートである。図において、＃３１〜＃３９はステップを示す。
【００４３】
ステップ＃３１で、呼出信号の有無を監視する。呼出信号を検出すると、ステップ＃３２へ進み、回線を閉結し、二次応答を行う。次のステップ＃３３で、ＡＮＳam信号を送信する。ステップ＃３４で、発呼側からのＣＭ信号の受信の有無を監視する。ＣＭ信号を検出すると、ステップ＃３５へ進み、着呼側電話番号が相手先電話番号と一致するかどうかチェックする。両方の電話番号が一致したときは、次のステップ＃３６で、信号ＪＭの起呼カテゴリを「発呼側受信」にして、ステップ＃３８へ進む。また、両方の電話番号が一致しないときは、ステップ＃３７へ進み、信号ＪＭの起呼カテゴリを「発呼側送信」にして、同様に、ステップ＃３８へ進む。ステップ＃３８で、信号ＪＭを送信する。次のステップ＃３９で、信号ＣＪの受信の有無を監視する。信号ＣＪを検出すると、この図６のフローを終了する。
【００４４】
この第２の実施の形態によれば、ポーリング送信原稿と一緒に記憶されている相手先電話番号が、受信された発呼先の電話番号と異なるときは、Ｖ．８通信の終了までに、その旨が発呼側に伝えられるので、無駄な通信時間が短縮され、通信コストが節減される。
【００４５】
第３の実施の形態
この第３の実施の形態は、請求項３の発明に対応しているが、請求項２の発明にも関連している。先の第２の実施の形態では、発呼側の電話番号と該当するポーリング送信原稿が存在しないときは、Ｖ．８通信の起呼カテゴリを「発呼側受信」としないように制御し、初期段階で回線を切断するようにしている。この第３の実施の形態では、第２の実施の形態で説明したファクシミリ装置において、Ｖ．８通信で起呼カテゴリの違いを検出したときは、着呼側で回線を切断する処理を行う点に特徴を有している。
【００４６】
図７は、この発明のファクシミリ装置について、第３の実施の形態によるポーリング通信時の主要な処理の流れを示すフローチャートである。図における符号は図６と同様であり、＃４１〜＃４３は追加されたステップを示す。
【００４７】
この第３の実施の形態でも、ステップ＃３１〜＃３９までの処理は、先の図６と同様である。この図７のフローが図６と異なる点は、図６のフローでは、ステップ＃３９で信号ＣＪを検出すると、全ての処理を終了するが、その後に、信号ＣＭとＪＭの起呼カテゴリが異なるときは、着呼側で回線を切断する処理を行うことだけである。そのために、図７のフローでは、ステップ＃３９で信号ＣＪを検出すると、ステップ＃４１へ進み、ＣＭ／ＪＭの起呼機能が一致するかどうか判定する。そして、ＣＭ／ＪＭの起呼機能が一致していれば、ステップ＃４２へ移り、通信を続行する。また、ＣＭ／ＪＭの起呼機能が一致しないときは、ステップ＃４３へ進み、回線を切断して、この図７のフローを終了する。以上のように、この第３の実施の形態では、Ｖ．８通信で起呼カテゴリの違いを検出したときは、着呼側で回線を切断する処理を行う。そのため、他の着呼を受けることが可能になり、回線の利用効率を向上させることができる。
【００４８】
第４の実施の形態
この第４の実施の形態は、請求項４の発明に対応しているが、請求項１から請求項３の発明にも関連している。先の第１から第３の実施の形態では、ポーリング送信原稿のメモリファイルを作成するとき、相手先の電話番号も一緒に記憶させることによって、交換機側から通知された発呼側電話番号と比較し、不一致のときには、送信を開始しないように制御する場合を説明した。この第４の実施の形態では、この場合の相手先の電話番号の入力操作を簡略化することによって、操作性を向上させる点に特徴を有している。
【００４９】
図８は、この発明の第４の実施の形態において、交換機側から受信した電話番号と、ポーリング送信のメモリファイル作成時の電話番号との一致検出例を説明する図で、(1) は２つの電話番号、(2) は両者が一致したと判断されるケースを示す。
【００５０】
この図８(1) に示したように、例えば、交換機側から送られてくる電話番号が「０３−５４３２−１２３４」のとき、ポーリング送信原稿の登録電話番号が「５４３２−１２３４」でも、あるいは「１２３４」でも、ポーリング送信を行うことが可能である。そのため、ポーリング送信の相手先電話番号の入力は、一部の桁だけでよいことになる。ポーリング送信原稿のメモリファイルを作成するときは、相手先電話番号を入力するが、この電話番号を任意の長さにして、同じ番号列の部分が見つかれば、番号一致と判定している。したがって、利用者は、セキュリティのレベルを厳しくしたり、甘くしたりすることができる。すなわち、オペレータが精度を選択することができるので、操作性が向上される。このように、第４の実施の形態では、ポーリング送信原稿のメモリファイルを作成するときの相手先電話番号の入力操作は、正規の番号の一部とすることを可能にし、交換機側から通知された発呼側電話番号と、入力された電話番号とを比較する際、両番号の桁が合わないとき、下位の桁からシフトさせて両番号を比較する。したがって、電話番号の一部の桁だけで済ませることが可能になり、オペレータは、送信内容の程度に応じて桁数を選択することができるので、操作性が向上する。
【００５１】
【発明の効果】
請求項１のファクシミリ装置によれば、従来のプロトコル信号ＳＥＰのＩＤの比較だけで実行されるポーリング通信に比べて、発呼側の電話番号を確認した上でポーリング送信原稿を送信するので、誤送信が防止され、装置の信頼性が向上する。
【００５２】
請求項２のファクシミリ装置によれば、請求項１のファクシミリ装置による効果に加えて、ポーリング送信原稿と一緒に記憶されている相手先電話番号が異なるときは、Ｖ．８通信が終了するまでに発呼側に伝達されるため、通信時間が短縮し、通信コストの低減化が実現する。
【００５３】
請求項３のファクシミリ装置によれば、請求項２のファクシミリ装置による効果に加えて、Ｖ．８通信で起呼カテゴリの違いが検出されたときは、着呼側で回線を切断することが可能になり、直ちに他の着呼を受け付けることができるので、回線の利用効率が向上する。
【００５４】
請求項４のファクシミリ装置によれば、ポーリング送信の相手先電話番号の入力を、電話番号の一部の桁だけで済ませることが可能になり、オペレータは、送信内容の程度に応じて桁数を選択することができるため、操作性が向上する。
【図面の簡単な説明】
【図１】  この発明のファクシミリ装置について、その要部構成の実施の形態の一例を示す機能ブロック図である。
【図２】  この発明のファクシミリ装置について、第１の実施の形態によるポーリング送信ファイル作成時の主要な処理の流れを示すフローチャートである。
【図３】  この発明のファクシミリ装置について、第１の実施の形態によるポーリング通信時の主要な処理の流れを示すフローチャートである。
【図４】  Ｖ．３４規格によるポーリング通信について、そのシーケンスの概要を示す図である。
【図５】  起呼メニュー信号ＣＭおよび共通メニュー信号ＪＭについて、起呼機能カテゴリと「発呼側送信」または「発呼側受信」の機能のビットの割り付けの一例を示す図である。
【図６】  この発明のファクシミリ装置について、第２の実施の形態によるポーリング通信時の主要な処理の流れを示すフローチャートである。
【図７】  この発明のファクシミリ装置について、第３の実施の形態によるポーリング通信時の主要な処理の流れを示すフローチャートである。
【図８】  この発明の第４の実施の形態において、交換機側から受信した電話番号と、ポーリング送信のメモリファイル作成時の電話番号との一致検出例を説明する図である。
【図９】  通常のポーリング通信について、そのシーケンスの概要を示す図である。
【図１０】  ＩＤ付きポーリング通信について、そのシーケンスの概要を示す図である。
【図１１】  図１０に示したＩＤ付きポーリング通信において、ＩＤが異なっている場合のシーケンスの概要を示す図である。
【図１２】  デジタル識別信号ＤＩＳのビット割り付けを示す図である。
【図１３】  デジタル識別信号ＤＩＳのフレーム内の送信可能ビットがセットされていないとき、発呼側から回線を切断する場合のシーケンスの概要を示す図である。
【図１４】  交換機側からの発信電話番号通知について、そのシーケンスの概要を示す図である。
【符号の説明】
１ スキャナ      ２ プロッタ
３ 符号化復号化部
４ 発呼側電話番号記憶部
５ 通信制御部    ６ モデム
７ 網制御部      ８ 操作表示部
９ システム制御部
１０ 画情報記憶部
１１ 相手先番号記憶部
【図１】
0003682943.tif 000002
【図２】
0003682943.tif 000003
【図３】
0003682943.tif 000004
【図４】
0003682943.tif 000005
【図５】
0003682943.tif 000006
【図６】
0003682943.tif 000007
【図７】
0003682943.tif 000008
【図８】
0003682943.tif 000009
【図９】
0003682943.tif 000010
【図１０】
0003682943.tif 000011
【図１１】
0003682943.tif 000012
【図１２】
0003682943.tif 000013
【図１３】
0003682943.tif 000014
【図１４】
0003682943.tif 000015